(57)【要約】【課題】  回路構成を簡単且つ安価にする搬送波漏洩電力低減回路を得る。【解決手段】  主直交復調器２６により復調されたベースバンド信号と、副直交復調器２７により復調され、直流成分が阻止されたベースバンド信号との加算値が最小になるような補正情報を生成し、主直交変調器１７に入力されるベースバンド信号をその補正情報に応じて補正する。主直交変調器１７の中心電圧とその主直交変調器１７に入力されるベースバンド信号の直流成分とのずれを直交変調を行いながら自動的に最小にし、主直交変調器１７における搬送波漏洩電力を低減する。また、コントロールユニット１、遅延回路２，３，８，９、ビット加算器４，５、ビット反転器６，７、ＤＡ変換器１０〜１３およびＡＤ変換器２８〜３１をデジタル回路により構成したので、アナログ回路を極力低減することで、温度変化や経年変化に強く、補正回路を不要とし、回路構成を簡単且つ安価にすることができる。【選択図】        図１
2006310972.tif 000002
【特許請求の範囲】
【請求項１】
補正情報に応じて補正されたベースバンド信号を直交変調する主系統直交変調器と、
ビット反転されたベースバンド信号を直交変調する副系統直交変調器と、
上記主系統直交変調器による変調波を直交復調する主系統直交復調器と、
上記副系統直交変調器による変調波を直交復調する副系統直交復調器と、
上記副系統直交復調器により復調されたベースバンド信号の直流成分を阻止する直流成分阻止回路と、
上記主系統直交復調器により復調されたベースバンド信号と上記直流成分阻止回路により直流成分が阻止されたベースバンド信号との加算値が最小になるような補正情報を生成し、上記主系統直交変調器に入力されるベースバンド信号をその補正情報に応じて補正する補正回路とを備え、
少なくとも上記直流成分阻止回路および上記補正回路をデジタル回路により構成したことを特徴とする搬送波漏洩電力低減回路。
【請求項２】
同相成分のデジタルベースバンド信号に同相成分補正情報を加算する同相成分ビット加算器と、
直交成分のデジタルベースバンド信号に直交成分補正情報を加算する直交成分ビット加算器と、
同相成分のデジタルベースバンド信号をビット反転する同相成分ビット反転器と、
直交成分のデジタルベースバンド信号をビット反転する直交成分ビット反転器と、
上記同相成分ビット加算器により加算された同相成分のデジタルベースバンド信号をデジタルアナログ変換する主系統同相成分ＤＡ変換器と、
上記直交成分ビット加算器により加算された直交成分のデジタルベースバンド信号をデジタルアナログ変換する主系統直交成分ＤＡ変換器と、
上記同相成分ビット反転器により反転された同相成分のデジタルベースバンド信号をデジタルアナログ変換する副系統同相成分ＤＡ変換器と、
上記直交成分ビット反転器により反転された直交成分のデジタルベースバンド信号をデジタルアナログ変換する副系統直交成分ＤＡ変換器と、
搬送波を上記主系統同相成分ＤＡ変換器および上記主系統直交成分ＤＡ変換器から出力される同相成分および直交成分のアナログベースバンド信号により直交変調する主系統直交変調器と、
搬送波を上記副系統同相成分ＤＡ変換器および上記副系統直交成分ＤＡ変換器から出力される同相成分および直交成分のアナログベースバンド信号により直交変調する副系統直交変調器と、
上記主系統直交変調器による変調波を搬送波により直交復調する主系統直交復調器と、
上記副系統直交変調器による変調波を搬送波により直交復調する副系統直交復調器と、
上記主系統直交復調器により復調された同相成分のアナログベースバンド信号をアナログデジタル変換する主系統同相成分ＡＤ変換器と、
上記主系統直交復調器により復調された直交成分のアナログベースバンド信号をアナログデジタル変換する主系統直交成分ＡＤ変換器と、
上記副系統直交復調器により復調された同相成分のアナログベースバンド信号をアナログデジタル変換する副系統同相成分ＡＤ変換器と、
上記副系統直交復調器により復調された直交成分のアナログベースバンド信号をアナログデジタル変換する副系統直交成分ＡＤ変換器と、
上記副系統同相成分ＡＤ変換器から出力される同相成分のデジタルベースバンド信号の直流成分を阻止する同相直流成分阻止回路と、
上記副系統直交成分ＡＤ変換器から出力される直交成分のデジタルベースバンド信号の直流成分を阻止する直交直流成分阻止回路と、
上記主系統同相成分ＡＤ変換器から出力される同相成分のデジタルベースバンド信号と上記同相直流成分阻止回路により直流成分が阻止された同相成分のデジタルベースバンド信号とを加算する同相成分加算器と、
上記主系統直交成分ＡＤ変換器から出力される直交成分のデジタルベースバンド信号と上記直交直流成分阻止回路により直流成分が阻止された直交成分のデジタルベースバンド信号とを加算する直交成分加算器と、
上記同相成分加算器による加算値が最小になるような同相成分補正情報を算出し、上記同相成分ビット加算器に供給する同相成分補正情報生成回路と、
上記直交成分加算器による加算値が最小になるような直交成分補正情報を算出し、上記直交成分ビット加算器に供給する直交成分補正情報生成回路とを備えた搬送波漏洩電力低減回路。
【請求項３】
同相成分のデジタルベースバンド信号に同相成分補正情報を加算する同相成分ビット加算器と、
直交成分のデジタルベースバンド信号に直交成分補正情報を加算する直交成分ビット加算器と、
同相成分のデジタルベースバンド信号をビット反転する同相成分ビット反転器と、
直交成分のデジタルベースバンド信号をビット反転する直交成分ビット反転器と、
搬送波を上記同相成分ビット加算器および上記直交成分ビット加算器から出力される同相成分および直交成分のデジタルベースバンド信号により直交変調する主系統直交変調器と、
搬送波を上記同相成分ビット反転器および上記直交成分ビット反転器から出力される同相成分および直交成分のデジタルベースバンド信号により直交変調する副系統直交変調器と、
上記主系統直交変調器による変調波をデジタルアナログ変換する主系統ＤＡ変換器と、
上記副系統直交変調器による変調波をデジタルアナログ変換する副系統ＤＡ変換器と、
上記主系統ＤＡ変換器によりアナログに変換された変調波をアナログデジタル変換する主系統ＡＤ変換器と、
上記副系統ＤＡ変換器によりアナログに変換された変調波をアナログデジタル変換する副系統ＡＤ変換器と、
上記主系統ＡＤ変換器によりデジタルに変換された変調波を搬送波により直交復調する主系統直交復調器と、
上記副系統ＡＤ変換器によりデジタルに変換された変調波を搬送波により直交復調する副系統直交復調器と、
上記副系統直交復調器により復調された同相成分のデジタルベースバンド信号の直流成分を阻止する同相直流成分阻止回路と、
上記副系統直交復調器により復調された直交成分のデジタルベースバンド信号の直流成分を阻止する直交直流成分阻止回路と、
上記主系統直交復調器により復調された同相成分のデジタルベースバンド信号と上記同相直流成分阻止回路により直流成分が阻止された同相成分のデジタルベースバンド信号とを加算する同相成分加算器と、
上記主系統直交復調器により復調された直交成分のデジタルベースバンド信号と上記直交直流成分阻止回路により直流成分が阻止された直交成分のデジタルベースバンド信号とを加算する直交成分加算器と、
上記同相成分加算器による加算値が最小になるような同相成分補正情報を算出し、上記同相成分ビット加算器に供給する同相成分補正情報生成回路と、
上記直交成分加算器による加算値が最小になるような直交成分補正情報を算出し、上記直交成分ビット加算器に供給する直交成分補正情報生成回路とを備えた搬送波漏洩電力低減回路。
【請求項４】
デジタル回路により構成された一部あるいは全部を集積回路化したことを特徴とする請求項１から請求項３のうちのいずれか１項記載の搬送波漏洩電力低減回路。
【発明の詳細な説明】
【技術分野】
【０００１】
この発明は、送信機等に用いられ、直交変調器において直交変調を行いながら自動的に搬送波漏洩電力（キャリアリーク）を低減する搬送波漏洩電力低減回路に関するものである。
【背景技術】
【０００２】
一般に、直交変調器は、その直交変調器に規定された中心電圧を中心に、入力されるベースバンド信号の振幅に応じて搬送波を変調するが、直交変調器に規定された中心電圧からその直交変調器に入力されるベースバンド信号の直流成分がずれることにより、搬送波漏洩電力が発生する。
そのため、発生する搬送波漏洩電力を低減する回路が必要となるが、送信機等に用いられる直交変調器は、一旦、変調動作が開始されるとシステムが運用停止するまで変調動作を停止することができず、その間に回路に生じる温度変化や経年変化に対応して直交変調を行った状態のまま、自動的に搬送波漏洩電力を低減する必要がある。
【０００３】
従来では、これら直交変調器の搬送波漏洩電力低減回路の要求を満たすものとして、一つの直交変調器および一つの直交復調器からなり、アナログ回路やアナログ部品を多用して構成され、直交変調器に入力される変調前のアナログベースバンド信号と、直交復調器により復調されたアナログベースバンドとを比較することにより、自動的に搬送波漏洩電力を低減するものがある。
また、この搬送波漏洩電力低減回路では、温度補正回路や経年補正回路を設けることにより、回路に生じる温度変化や経年変化に対応するものである（例えば、特許文献１参照）。
【０００４】
【特許文献１】特表平１０−５１２１３３号公報
【発明の開示】
【発明が解決しようとする課題】
【０００５】
従来の搬送波漏洩電力低減回路は以上のように構成されているので、直交変調器に入力される変調前のアナログベースバンド信号と、直交復調器により復調されたアナログベースバンドとを比較することにより、直交変調を行った状態のまま、自動的に搬送波漏洩電力を低減するものであり、アナログ回路やアナログ部品を多用して構成されたものであるから、その搬送波漏洩電力の低減性能が温度変化や経年変化に影響を受けやすい。このことから、温度補正回路や経年補正回路を設けなくてはならず、回路構成が複雑になり、且つ高価になるなどの課題があった。
【０００６】
この発明は上記のような課題を解決するためになされたもので、直交変調を行いながら自動的に搬送波漏洩電力を低減し、また、アナログ回路やアナログ部品を極力低減し、温度変化や経年変化に強く、そのための補正回路を不要とし、回路構成を簡単且つ安価にする搬送波漏洩電力低減回路を得ることを目的とする。
【課題を解決するための手段】
【０００７】
この発明に係る搬送波漏洩電力低減回路は、補正されたベースバンド信号を直交変調する主系統直交変調器と、ビット反転されたベースバンド信号を直交変調する副系統直交変調器と、主系統直交変調器による変調波を直交復調する主系統直交復調器と、副系統直交変調器による変調波を直交復調する副系統直交復調器と、副系統直交復調器により復調されたベースバンド信号の直流成分を阻止する直流成分阻止回路と、主系統直交復調器により復調されたベースバンド信号と直流成分阻止回路により直流成分が阻止されたベースバンド信号との加算値が最小になるような補正情報を生成し、主系統直交変調器に入力されるベースバンド信号をその補正情報に応じて補正する補正回路とを備え、少なくとも直流成分阻止回路および補正回路をデジタル回路により構成したものである。
【発明の効果】
【０００８】
この発明によれば、主系統直交復調器により復調されたベースバンド信号と直流成分阻止回路により直流成分が阻止されたベースバンド信号との加算値が最小になるような補正情報を生成し、主系統直交変調器に入力されるベースバンド信号を補正情報に応じて補正するように構成したので、主系統直交変調器の中心電圧とその主系統直交変調器に入力されるベースバンド信号の直流成分とのずれを直交変調を行いながら自動的に最小にすることができ、主系統直交変調器における搬送波漏洩電力を低減することができる。
また、少なくとも直流成分阻止回路および補正回路をデジタル回路により構成したので、アナログ回路やアナログ部品を極力低減することで、温度変化や経年変化に強く、そのための補正回路を不要とし、回路構成を簡単且つ安価にすることができる効果がある。
【発明を実施するための最良の形態】
【０００９】
実施の形態１．
図１はこの発明の実施の形態１による送信機の搬送波漏洩電力低減回路を示す構成図であり、図において、コントロールユニット１は、ワンチップ上により集積回路化され、同相成分Ｉｏｕｔおよび直交成分Ｑｏｕｔのデジタルベースバンド信号を生成すると共に、後述する主直交変調器１７の搬送波漏洩電力（キャリアリーク）を最小に制御する同相成分補正情報Ｉａｄｊ ｏｕｔおよび直交成分補正情報Ｑａｄｊ ｏｕｔを生成するものである。
遅延回路２，３は、コントロールユニット１により生成される同相成分Ｉｏｕｔおよび直交成分Ｑｏｕｔのデジタルベースバンド信号を、それぞれ後述するビット反転器６，７による遅延時間と等時間だけ遅延させるものである。
ビット加算器（補正回路：同相成分ビット加算器）４は、遅延回路２により遅延された同相成分のデジタルベースバンド信号に、コントロールユニット１により生成される同相成分補正情報Ｉａｄｊ ｏｕｔを加算し、ビット加算器（補正回路：直交成分ビット加算器）５は、遅延回路３により遅延された直交成分のデジタルベースバンド信号に、コントロールユニット１により生成される直交成分補正情報Ｑａｄｊ ｏｕｔを加算するものである。
【００１０】
ビット反転器（同相成分ビット反転器）６は、コントロールユニット１により生成される同相成分Ｉｏｕｔのデジタルベースバンド信号をビット反転し、ビット反転器（直交成分ビット反転器）７は、コントロールユニット１により生成される直交成分Ｑｏｕｔのデジタルベースバンド信号をビット反転するものである。
遅延回路８，９は、ビット反転器６，７により反転された同相成分Ｉｎｖ Ｉｏｕｔおよび直交成分Ｉｎｖ Ｑｏｕｔのデジタルベースバンド信号を、それぞれビット加算器４，５による遅延時間と等時間だけ遅延させるものである。
ＤＡ変換器（主系統同相成分ＤＡ変換器）１０は、ビット加算器４により加算された同相成分のデジタルベースバンド信号をデジタルアナログ変換し、ＤＡ変換器（主系統直交成分ＤＡ変換器）１１は、ビット加算器５により加算された直交成分のデジタルベースバンド信号をデジタルアナログ変換し、ＤＡ変換器（副系統同相成分ＤＡ変換器）１２は、遅延回路８により遅延された同相成分のデジタルベースバンド信号をデジタルアナログ変換し、ＤＡ変換器（副系統直交成分ＤＡ変換器）１３は、遅延回路９により遅延された直交成分のデジタルベースバンド信号をデジタルアナログ変換するものである。
【００１１】
局部発振器１４は、搬送波を発生し、分波器１５，１６は、その搬送波をそれぞれ分波するものである。
主直交変調器（主系統直交変調器）１７は、分波器１６により分波された搬送波を、ＤＡ変換器１０，１１から出力される同相成分および直交成分のアナログベースバンド信号により直交変調し、副直交変調器（副系統直交変調器）１８は、分波器１６により分波された搬送波を、ＤＡ変換器１２，１３から出力される同相成分および直交成分のアナログベースバンド信号により直交変調するものである。
分波器１９は、主直交変調器１７による変調波を分波し、高周波増幅器２０，２１は、分波器１９を通過した変調波を２段階にそれぞれ高周波増幅し、アンテナ２２は、高周波増幅器２０，２１により高周波増幅された変調波を送信するものである。
また、分波器２３は、副直交変調器１８による変調波を分波し、終端器２４は、分波器２３を通過した変調波を、反射することなく消去するものである。
【００１２】
分波器２５は、分波器１５による搬送波を分波し、主直交復調器（主系統直交復調器）２６は、主直交変調器１７により変調され、分波器１９により分波された変調波を、分波器２５により分波された搬送波により直交復調し、副直交復調器（副系統直交復調器）２７は、副直交変調器１８により変調され、分波器２３により分波された変調波を、分波器２５により分波された搬送波により直交復調するものである。
ＡＤ変換器（主系統同相成分ＡＤ変換器）２８は、主直交復調器２６により復調された同相成分のアナログベースバンド信号をアナログデジタル変換し、ＡＤ変換器（主系統直交成分ＡＤ変換器）２９は、主直交復調器２６により復調された直交成分のアナログベースバンド信号をアナログデジタル変換し、ＡＤ変換器（副系統同相成分ＡＤ変換器）３０は、副直交復調器２７により復調された同相成分のアナログベースバンド信号をアナログデジタル変換し、ＡＤ変換器（副系統直交成分ＡＤ変換器）３１は、副直交復調器２７により復調された直交成分のアナログベースバンド信号をアナログデジタル変換するものである。
【００１３】
図２はコントロールユニットの詳細を示す構成図であり、図において、直流成分低減回路３２は、ＡＤ変換器２８からの同相成分Ｉｉｎのデジタルベースバンド信号の直流成分を低減し、直流成分低減回路３３は、ＡＤ変換器２９からの同相成分Ｑｉｎのデジタルベースバンド信号の直流成分を低減するものである。
直流成分阻止回路（同相直流成分阻止回路）３４は、ＡＤ変換器３０からの同相成分Ｉｎｖ Ｉｉｎのデジタルベースバンド信号の直流成分を阻止し、直流成分阻止回路（直交直流成分阻止回路）３５は、ＡＤ変換器３１からの直交成分Ｉｎｖ Ｑｉｎのデジタルベースバンド信号の直流成分を阻止するものである。
加算器（補正回路：同相成分加算器）３６は、直流成分低減回路３２により直流成分が低減された同相成分のデジタルベースバンド信号と直流成分阻止回路３４により直流成分が阻止された同相成分のデジタルベースバンド信号とを加算し、加算器（補正回路：直交成分加算器）３７は、直流成分低減回路３３により直流成分が低減された直交成分のデジタルベースバンド信号と直流成分阻止回路３５により直流成分が阻止された直交成分のデジタルベースバンド信号とを加算するものである。
【００１４】
差分検出回路（補正回路：同相成分補正情報生成回路）３８は、加算器３６による加算値から搬送波漏洩電力の発生原因となる、主直交変調器１７の中心電圧からのその主直交変調器１７に入力される同相成分のベースバンド信号の直流成分のずれ量を検知し、その直流成分のずれ量を次段のシフト量算出回路４０の入力情報として適した数値に変換し、差分検出回路（補正回路：直交成分補正情報生成回路）３９は、同様に加算器３７による加算値から、主直交変調器１７の中心電圧からのその主直交変調器１７に入力される直交成分のベースバンド信号の直流成分のずれ量を検知し、その直流成分のずれ量を次段のシフト量算出回路４１の入力情報として適した数値に変換するものである。
シフト量算出回路（補正回路：同相成分補正情報生成回路）４０は、加算器３６による加算値が最小になるような同相成分補正情報Ｉａｄｊ ｏｕｔを算出し、ビット加算器４に供給し、シフト量算出回路（補正回路：直交成分補正情報生成回路）４１は、加算器３７による加算値が最小になるような直交成分補正情報Ｑａｄｊ ｏｕｔを算出し、ビット加算器５に供給するものである。
デジタルベースバンド信号生成回路４２は、同相成分Ｉｏｕｔおよび直交成分Ｑｏｕｔのデジタルベースバンド信号を生成するものである。
なお、図１において、ＤＡ変換器１０〜１３、ＡＤ変換器２８〜３１を中心に左側はデジタル回路により構成され、右側はアナログ回路により構成されるものである。
【００１５】
次に動作について説明する。
主直交変調器１７は、その主直交変調器１７に規定された中心電圧を中心に、入力されるベースバンド信号の振幅に応じて搬送波を変調するものであるが、主直交変調器１７に規定された中心電圧から主直交変調器１７に入力されるベースバンド信号の直流成分がずれることにより、搬送波漏洩電力が発生する。なお、その主直交変調器１７の温度特性によっても主直交変調器１７の中心電圧は変化し、入力されるベースバンド信号の直流成分を予め調整して一定にしても、温度変化により主直交変調器１７の中心電圧と入力されるベースバンド信号の直流成分とにずれが生じ、その結果、搬送波漏洩電力が発生する。
この実施の形態１では、温度変化により主直交変調器１７の中心電圧がずれても、直交変調を行いながら自動的に中心電圧と入力されるベースバンド信号の直流成分とのずれを最小にすることができ、主直交変調器１７における搬送波漏洩電力を低減するものである。
また、アナログ回路やアナログ部品を極力低減することで、温度変化や経年変化に強く、そのための補正回路を不要とし、回路構成を簡単且つ安価にするものである。以下、その動作について説明する。
【００１６】
図１および図２において、コントロールユニット１のデジタルベースバンド信号生成回路４２は、同相成分Ｉｏｕｔおよび直交成分Ｑｏｕｔのデジタルベースバンド信号を生成する。
遅延回路２，３は、同相成分Ｉｏｕｔおよび直交成分Ｑｏｕｔのデジタルベースバンド信号を、それぞれビット反転器６，７による遅延時間と等時間だけ遅延させる。ビット加算器４，５については後述する。
また、ビット反転器６，７は、同相成分Ｉｏｕｔおよび直交成分Ｑｏｕｔのデジタルベースバンド信号をそれぞれビット反転し、遅延回路８，９は、ビット反転器６，７により反転された同相成分Ｉｎｖ Ｉｏｕｔおよび直交成分Ｉｎｖ Ｑｏｕｔのデジタルベースバンド信号を、それぞれビット加算器４，５による遅延時間と等時間だけ遅延させる。
このようにして、副系統のデジタルベースバンド信号を反転すると共に、主系統および副系統のデジタルベースバンド信号の遅延時間を一致させ、ＤＡ変換器１０〜１３によりデジタルアナログ変換する。
【００１７】
局部発振器１４から発生される搬送波は、分波器１５，１６，２５によりそれぞれ分波され、主直交変調器１７、副直交変調器１８、主直交復調器２６および副直交復調器２７に供給される。
主直交変調器１７は、搬送波をＤＡ変換器１０，１１から出力される同相成分および直交成分のアナログベースバンド信号により直交変調する。この時、主直交変調器１７は、その主直交変調器１７の周囲温度に応じた中心電圧を中心に、入力されるベースバンド信号の振幅に応じて搬送波を変調するが、主直交変調器１７の中心電圧から主直交変調器１７に入力されるベースバンド信号の直流成分がずれることにより、搬送波漏洩電力が発生する。また、その直流成分のずれに応じて主直交変調器１７による変調波にも直流成分が含まれる。
同様に、副直交変調器１８は、搬送波をＤＡ変換器１２，１３から出力される同相成分および直交成分のアナログベースバンド信号により直交変調する。ここでの変調波は、主直交変調器１７による変調波の位相を反転したものとなる。なお、副直交変調器１８においても、副直交変調器１８の中心電圧から副直交変調器１８に入力されるベースバンド信号の直流成分がずれることにより、搬送波漏洩電力が発生する。また、その直流成分のずれに応じて副直交変調器１８による変調波にも直流成分が含まれる。
【００１８】
また、分波器１９は、主直交変調器１７による変調波を分波して主直交復調器２６に供給し、高周波増幅器２０，２１は、変調波をそれぞれ高周波増幅し、アンテナ２２から変調波を送信する。さらに、分波器２３は、副直交変調器１８による変調波を分波して副直交復調器２７に供給して、終端器２４は、分波器２３を通過した変調波を、反射することなく消去する。
主直交復調器２６は、主直交変調器１７により変調され、分波器１９により分波された変調波を、搬送波により直交復調し、同相成分および直交成分のアナログベースバンド信号に戻す。なお、この復調された同相成分および直交成分のアナログベースバンド信号にも、変調波に含まれた直流成分に応じた直流成分が含まれる。
副直交復調器２７は、副直交変調器１８により変調され、分波器２３により分波された変調波を、搬送波により直交復調し、同相成分および直交成分のアナログベースバンド信号に戻す。なお、この副直交復調器２７において復調された同相成分および直交成分のアナログベースバンド信号にも、変調波に含まれた直流成分に応じた直流成分が含まれる。
このようにして、主系統および副系統において共に直流成分が含まれるが、互いに位相を反転した同相成分および直交成分のアナログベースバンド信号を、ＡＤ変換器２８〜３１によりアナログデジタル変換する。
【００１９】
図２において、直流成分低減回路３２は、同相成分Ｉｉｎのデジタルベースバンド信号の直流成分を低減し、直流成分低減回路３３は、同相成分Ｑｉｎのデジタルベースバンド信号の直流成分を低減する。また、直流成分阻止回路３４は、同相成分Ｉｎｖ Ｉｉｎのデジタルベースバンド信号の直流成分を阻止し、直流成分阻止回路３５は、直交成分Ｉｎｖ Ｑｉｎのデジタルベースバンド信号の直流成分を阻止する。よって、主直交変調器１７および主直交副調器２６を経由した主系統の直流成分低減回路３２，３３から出力されるデジタルベースバンド信号には直流成分が含まれており、副直交変調器１８および副直交復調器２７を経由した副系統の直流成分阻止回路３４，３５から出力されるデジタルベースバンド信号からは直流成分が消去される。これによって、副系統の直流成分阻止回路３４，３５から出力されるデジタルベースバンド信号は、主系統の直流成分低減回路３２，３３から出力されるデジタルベースバンド信号にどのくらいの直流成分が含まれるか検知するための基準とすることができる。
【００２０】
加算器３６は、直流成分低減回路３２による同相成分のデジタルベースバンド信号と、直流成分阻止回路３４により直流成分が消去され、且つ位相を反転した同相成分のデジタルベースバンド信号とを加算し、加算器３７は、直流成分低減回路３３による直交成分のデジタルベースバンド信号と、直流成分阻止回路３５により直流成分が消去され、且つ位相を反転した直交成分のデジタルベースバンド信号とを加算し、各加算値を出力する。これら加算値は、変調波成分が相殺された、主系統のデジタルベースバンド信号に含まれる直流成分に相当するものとなる。
差分検出回路３８は、加算器３６による加算値から搬送波漏洩電力の発生原因となる、主直交変調器１７の中心電圧からのその主直交変調器１７に入力される同相成分のベースバンド信号の直流成分のずれ量を検知し、その直流成分のずれ量を次段のシフト量算出回路４０の入力情報として適した数値に変換し、差分検出回路３９は、同様に加算器３７による加算値から、主直交変調器１７の中心電圧からのその主直交変調器１７に入力される直交成分のベースバンド信号の直流成分のずれ量を検知し、その直流成分のずれ量を次段のシフト量算出回路４１の入力情報として適した数値に変換する。
シフト量算出回路４０は、加算器３６による加算値が最小になるような同相成分補正情報Ｉａｄｊ ｏｕｔを算出し、ビット加算器４に供給し、シフト量算出回路４１は、加算器３７による加算値が最小になるような直交成分補正情報Ｑａｄｊ ｏｕｔを算出し、ビット加算器５に供給する。
【００２１】
図１において、ビット加算器４は、遅延回路２により遅延された同相成分のデジタルベースバンド信号に、シフト量算出回路４０により算出された同相成分補正情報Ｉａｄｊ ｏｕｔを加算し、ビット加算器５は、遅延回路３により遅延された直交成分のデジタルベースバンド信号に、シフト量算出回路４１により算出された直交成分補正情報Ｑａｄｊ ｏｕｔを加算する。
このように、ビット加算器４，５により、同相成分および直交成分のデジタルベースバンド信号に、同相成分補正情報Ｉａｄｊ ｏｕｔおよび直交成分補正情報Ｑａｄｊ ｏｕｔを加算し、同相成分および直交成分のデジタルベースバンド信号の直流成分を逐次補正することで、主直交変調器１７の中心電圧とその主直交変調器１７に入力されるベースバンド信号の直流成分とのずれを直交変調を行いながら自動的に最小にすることができ、主直交変調器１７における搬送波漏洩電力を低減することができる。
また、図１において、ＤＡ変換器１０〜１３、ＡＤ変換器２８〜３１を中心に左側はデジタル回路により構成したので、アナログ回路やアナログ部品を極力低減することで、温度変化や経年変化に強く、そのための補正回路を不要とし、回路構成を簡単且つ安価にすることができる。
【００２２】
以上のように、この実施の形態１によれば、直流成分低減回路３２から出力される同相成分のデジタルベースバンド信号と直流成分阻止回路３４により直流成分が阻止された同相成分のデジタルベースバンド信号との加算値が最小になると共に、直流成分低減回路３３から出力される直交成分のデジタルベースバンド信号と直流成分阻止回路３５により直流成分が阻止された直交成分のデジタルベースバンド信号との加算値が最小になるように主直交変調器１７に入力されるベースバンド信号を補正するように構成したので、主直交変調器１７の中心電圧とその主直交変調器１７に入力されるベースバンド信号の直流成分とのずれを直交変調を行いながら自動的に最小にすることができ、主直交変調器１７における搬送波漏洩電力を低減することができる。
また、コントロールユニット１、遅延回路２，３，８，９、ビット加算器４，５、ビット反転器６，７、ＤＡ変換器１０〜１３およびＡＤ変換器２８〜３１をデジタル回路により構成したので、アナログ回路やアナログ部品を極力低減することで、温度変化や経年変化に強く、そのための補正回路を不要とし、回路構成を簡単且つ安価にすることができる。
さらに、デジタル回路により構成されたコントロールユニット１を、集積回路化したので、回路構成をさらに簡単且つ安価にすることができる。
【００２３】
実施の形態２．
図３はこの発明の実施の形態２による送信機の搬送波漏洩電力低減回路を示す構成図であり、図において、集積回路５１は、ワンチップ上に、コントロールユニット１、遅延回路２，３，８，９、ビット加算器４，５、ビット反転器６，７、ＤＡ変換器１０〜１３およびＡＤ変換器２８〜３１を搭載したものである。その他の構成については、図１と同様である。
【００２４】
次に動作について説明する。
この実施の形態２では、上記実施の形態１においてデジタル回路により構成した部品を、集積回路５１として構成し、ワンチップ上に搭載したものである。動作については、上記実施の形態１と同様である。
【００２５】
以上のように、この実施の形態２によれば、コントロールユニット１、遅延回路２，３，８，９、ビット加算器４，５、ビット反転器６，７、ＤＡ変換器１０〜１３およびＡＤ変換器２８〜３１を集積回路５１に搭載したので、回路構成をさらに簡単且つ安価にすることができる。
【００２６】
実施の形態３．
図４はこの発明の実施の形態３による送信機の搬送波漏洩電力低減回路を示す構成図であり、図において、分波器６１，６２は、局部発振器１４から発生された搬送波をそれぞれ分波するものである。
主直交変調器（主系統直交変調器）６３は、分波器６２により分波された搬送波を、ビット加算器４，５から出力される同相成分および直交成分のデジタルベースバンド信号により直交変調し、副直交変調器（副系統直交変調器）６４は、分波器６２により分波された搬送波を、ビット反転器８，９から出力される同相成分および直交成分のデジタルベースバンド信号により直交変調するものである。
ＤＡ変換器（主系統ＤＡ変換器）６５は、主直交変調器６３による変調波をデジタルアナログ変換し、ＤＡ変換器（副系統ＤＡ変換器）６６は、副直交変調器６４による変調波をデジタルアナログ変換するものである。
【００２７】
ＡＤ変換器（主系統ＡＤ変換器）６７は、分波器１９により分波された変調波をアナログデジタル変換し、ＡＤ変換器（副系統ＡＤ変換器）６８は、分波器２３により分波された変調波をアナログデジタル変換するものである。
分波器６９は、分波器６１により分波された搬送波を分波するものである。
主直交復調器（主系統直交復調器）７０は、ＡＤ変換器６７によりデジタルに変換された変調波を、分波器６９からの搬送波により直交復調し、副直交復調器（副系統直交復調器）７１は、ＡＤ変換器６８によりデジタルに変換された変調波を、分波器６９からの搬送波により直交復調するものである。
集積回路８１は、ワンチップ上に、コントロールユニット１、遅延回路２，３，８，９、ビット加算器４，５、ビット反転器６，７、分波器６１，６２，６９、主直交変調器６３、副直交変調器６４、ＤＡ変換器６５，６６、ＡＤ変換器６７，６８、主直交復調器７０および副直交復調器７１を搭載したものである。その他の構成については、図１と同様である。
【００２８】
次に動作について説明する。
この実施の形態３では、主直交変調器６３、副直交変調器６４、主直交復調器７０および副直交復調器７１をデジタル回路により構成し、さらに、デジタル回路により構成した部品を、集積回路８１として構成し、ワンチップ上に搭載したものである。
動作については、上記実施の形態１とほぼ同様であるが、異なる点だけ簡単に説明する。
分波器６１，６２，６９は、局部発振器１４から発生された搬送波をそれぞれ分波し、主直交変調器６３は、その搬送波を、ビット加算器４，５から出力される同相成分および直交成分のデジタルベースバンド信号により直交変調し、副直交変調器６４は、その搬送波を、遅延回路８，９から出力される同相成分および直交成分のデジタルベースバンド信号により直交変調する。ＤＡ変換器６５，６６は、それぞれの変調波をデジタルアナログ変換し、後段の分波器１９，２３に出力する。
ＡＤ変換器６７は、分波器１９からの変調波をアナログデジタル変換し、ＡＤ変換器６８は、分波器２３からの変調波をアナログデジタル変換する。主直交復調器７０は、ＡＤ変換器６７によりデジタルに変換された変調波を、分波器６９からの搬送波により直交復調し、副直交復調器７１は、ＡＤ変換器６８によりデジタルに変換された変調波を、分波器６９からの搬送波により直交復調する。
【００２９】
以上のように、この実施の形態３によれば、直流成分低減回路３２から出力される同相成分のデジタルベースバンド信号と直流成分阻止回路３４により直流成分が阻止された同相成分のデジタルベースバンド信号との加算値が最小になると共に、直流成分低減回路３３から出力される直交成分のデジタルベースバンド信号と直流成分阻止回路３５により直流成分が阻止された直交成分のデジタルベースバンド信号との加算値が最小になるように主直交変調器６３に入力されるベースバンド信号を補正するように構成したので、主直交変調器６３の中心電圧とその主直交変調器６３に入力されるベースバンド信号の直流成分とのずれを直交変調を行いながら自動的に最小にすることができ、主直交変調器６３における搬送波漏洩電力を低減することができる。
また、コントロールユニット１、遅延回路２，３，８，９、ビット加算器４，５、ビット反転器６，７、分波器６１，６２，６９、主直交変調器６３、副直交変調器６４、ＤＡ変換器６５，６６、ＡＤ変換器６７，６８、主直交復調器７０および副直交復調器７１をデジタル回路により構成したので、アナログ回路やアナログ部品を極力低減することで、温度変化や経年変化に強く、そのための補正回路を不要とし、回路構成を簡単且つ安価にすることができる。
さらに、それらデジタル回路を集積回路８１に搭載したので、回路構成をさらに簡単且つ安価にすることができる。
特に、２つの主直交変調器６３および副直交変調器６４、２つの主直交復調器７０および副直交復調器７１を集積回路化し、ワンチップ化により同一ウエハ上で形成することで、各２つの回路特性を極めて近似させることができ、搬送波漏洩電力の低減効果をより一層高めることができる。
【図面の簡単な説明】
【００３０】
【図１】この発明の実施の形態１による送信機の搬送波漏洩電力低減回路を示す構成図である。
【図２】コントロールユニットの詳細を示す構成図である。
【図３】この発明の実施の形態２による送信機の搬送波漏洩電力低減回路を示す構成図である。
【図４】この発明の実施の形態３による送信機の搬送波漏洩電力低減回路を示す構成図である。
【符号の説明】
【００３１】
１  コントロールユニット、２，３，８，９  遅延回路、４  ビット加算器（補正回路：同相成分ビット加算器）、５  ビット加算器（補正回路：直交成分ビット加算器）、６  ビット反転器（同相成分ビット反転器）、７  ビット反転器（直交成分ビット反転器）、１０  ＤＡ変換器（主系統同相成分ＤＡ変換器）、１１  ＤＡ変換器（主系統直交成分ＤＡ変換器）、１２  ＤＡ変換器（副系統同相成分ＤＡ変換器）、１３  ＤＡ変換器（副系統直交成分ＤＡ変換器）、１４  局部発振器、１５，１６，１９，２３，２５，６１，６２，６９  分波器、１７，６３  主直交変調器（主系統直交変調器）、１８，６４  副直交変調器（副系統直交変調器）、２０，２１  高周波増幅器、２２  アンテナ、２４  終端器、２６，７０  主直交復調器（主系統直交復調器）、２７，７１  副直交復調器（副系統直交復調器）、２８  ＡＤ変換器（主系統同相成分ＡＤ変換器）、２９  ＡＤ変換器（主系統直交成分ＡＤ変換器）、３０  ＡＤ変換器（副系統同相成分ＡＤ変換器）、３１  ＡＤ変換器（副系統直交成分ＡＤ変換器）、３２，３３  直流成分低減回路、３４  直流成分阻止回路（同相直流成分阻止回路）、３５  直流成分阻止回路（直交直流成分阻止回路）、３６  加算器（補正回路：同相成分加算器）、３７  加算器（補正回路：直交成分加算器）、３８  差分検出回路（補正回路：同相成分補正情報生成回路）、３９  差分検出回路（補正回路：直交成分補正情報生成回路）、４０  シフト量算出回路（補正回路：同相成分補正情報生成回路）、４１  シフト量算出回路（補正回路：直交成分補正情報生成回路）、４２  デジタルベースバンド信号生成回路、５１，８１  集積回路、６５  ＤＡ変換器（主系統ＤＡ変換器）、６６  ＤＡ変換器（副系統ＤＡ変換器）、６７  ＡＤ変換器（主系統ＡＤ変換器）、６８  ＡＤ変換器（副系統ＡＤ変換器）。
【図１】
2006310972.tif 000003
【図２】
2006310972.tif 000004
【図３】
2006310972.tif 000005
【図４】
2006310972.tif 000006